(57)【要約】【課題】保守員に煩雑な操作を強いることなく、ｐｉｎｇ試験を行うために必要となる試験用情報を保守員から受け付け、その試験用情報を用いてｐｉｎｇ試験を実行することが可能なｐｉｎｇ試験機を提供する。【解決手段】ｐｉｎｇ試験機は、ｐｉｎｇ試験を行うために必要となる試験用情報の入力を促す入力用画面を表示する表示手段と、前記入力用画面に入力された試験用情報を受け付ける受付手段と、前記受付手段にて受け付けられた試験用情報を用いて、ｐｉｎｇ試験を行う実行手段と、を含む。【選択図】図１
2010263467.tif 000002
【特許請求の範囲】
【請求項１】
送信先装置のＩＰアドレスを指定してｐｉｎｇ試験を行うｐｉｎｇ試験機であって、
ｐｉｎｇ試験を行うために必要となる試験用情報の入力を促す入力用画面を表示する表示手段と、
前記入力用画面に入力された試験用情報を受け付ける受付手段と、
前記受付手段にて受け付けられた試験用情報を用いて、ｐｉｎｇ試験を行う実行手段と、を含むｐｉｎｇ試験機。
【請求項２】
請求項１に記載のｐｉｎｇ試験機において、
前記試験用情報は、前記ｐｉｎｇ試験機のＩＰアドレスおよび送信先装置のＩＰアドレスである、ｐｉｎｇ試験機。
【請求項３】
請求項１または２に記載のｐｉｎｇ試験機において、
前記実行手段にて行われたｐｉｎｇ試験の結果を、外部記録媒体に書き込む書き込み手段を、さらに含むｐｉｎｇ試験機。
【請求項４】
送信先装置のＩＰアドレスを指定してｐｉｎｇ試験を行うｐｉｎｇ試験機でのｐｉｎｇ試験方法であって、
ｐｉｎｇ試験を行うために必要となる試験用情報の入力を促す入力用画面を表示手段に表示する表示ステップと、
前記入力用画面に入力された試験用情報を受け付ける受付ステップと、
前記試験用情報を用いてｐｉｎｇ試験を行う実行ステップと、を含むｐｉｎｇ試験方法。
【請求項５】
請求項４に記載のｐｉｎｇ試験方法において、
前記試験用情報は、前記ｐｉｎｇ試験機のＩＰアドレスおよび送信先装置のＩＰアドレスである、ｐｉｎｇ試験方法。
【請求項６】
請求項４または５に記載のｐｉｎｇ試験方法において、
前記ｐｉｎｇ試験の結果を、外部記録媒体に書き込む書き込みステップを、さらに含むｐｉｎｇ試験方法。
【請求項７】
コンピュータに、
送信先装置のＩＰアドレスを指定してｐｉｎｇ試験を行うために必要となる試験用情報の入力を促す入力用画面を表示手段に表示する表示処理と、
前記入力用画面に入力された試験用情報を受け付ける受付処理と、
前記試験用情報を用いてｐｉｎｇ試験を行う実行処理と、を実行させるためのプログラム。
【請求項８】
請求項７に記載のプログラムにおいて、
前記試験用情報は、前記ｐｉｎｇ試験機のＩＰアドレスおよび送信先装置のＩＰアドレスである、プログラム。
【請求項９】
請求項７または８に記載のプログラムにおいて、
前記コンピュータに、前記ｐｉｎｇ試験の結果を外部記録媒体に書き込む書き込み処理をさらに実行させるプログラム。
【発明の詳細な説明】
【技術分野】
【０００１】
本発明は、ｐｉｎｇ（Packet INternet Groper）試験機、試験方法およびプログラムに関する。
【背景技術】
【０００２】
保守業務でのｐｉｎｇ試験は、以下のように行われている。保守員が、ノートＰＣ（Personal Computer）を試験現場まで持参し、ノートＰＣを試験対象機器に接続し、ノートＰＣ上でコマンドプロンプトを開き、コマンドプロンプトにｐｉｎｇコマンドを入力して、ｐｉｎｇ試験を実施する。
【０００３】
また、特許文献１には、ｐｉｎｇ試験を行うネットワーク機器が記載されている。このネットワーク機器は、自己の各ポートに接続された端末のＩＰ（Internet Protocol）アドレスを自動的に学習する。このネットワーク機器は、そのＩＰアドレスを用いて、ｐｉｎｇ試験を実行する。
【先行技術文献】
【特許文献】
【０００４】
【特許文献１】特開２００８−２２２７１号公報
【発明の概要】
【発明が解決しようとする課題】
【０００５】
ｐｉｎｇ試験を行うためにノートＰＣが用いられた場合、保守員は、ノートＰＣ上でコマンドプロンプトを開き、コマンドプロンプトにｐｉｎｇコマンドを入力するという煩雑な操作を行わなければならないという課題があった。
【０００６】
一方、保守業務において、特許文献１に記載のネットワーク機器が使用された場合、以下のような課題が発生する。
【０００７】
特許文献１に記載のネットワーク機器は、各ポートに接続された端末のＩＰアドレスを自動的に学習し、そのＩＰアドレスを用いて、ｐｉｎｇ試験を実行する。このため、このネットワーク機器は、各ポートに接続された端末のＩＰアドレスを学習できない場合、ｐｉｎｇ試験を行うために必要となる試験用情報を受け付けることができなくなり、よって、ｐｉｎｇ試験を実行できなくなってしまう。
【０００８】
本発明の目的は、上述した課題を解決可能な、ｐｉｎｇ試験機、試験方法およびプログラムを提供することである。
【課題を解決するための手段】
【０００９】
本発明のｐｉｎｇ試験機は、送信先装置のＩＰアドレスを指定してｐｉｎｇ試験を行うｐｉｎｇ試験機であって、ｐｉｎｇ試験を行うために必要となる試験用情報の入力を促す入力用画面を表示する表示手段と、前記入力用画面に入力された試験用情報を受け付ける受付手段と、前記受付手段にて受け付けられた試験用情報を用いて、ｐｉｎｇ試験を行う実行手段と、を含む。
【００１０】
本発明のｐｉｎｇ試験方法は、送信先装置のＩＰアドレスを指定してｐｉｎｇ試験を行うｐｉｎｇ試験機でのｐｉｎｇ試験方法であって、ｐｉｎｇ試験を行うために必要となる試験用情報の入力を促す入力用画面を表示手段に表示する表示ステップと、前記入力用画面に入力された試験用情報を受け付ける受付ステップと、前記試験用情報を用いてｐｉｎｇ試験を行う実行ステップと、を含む。
【００１１】
本発明のプログラムは、コンピュータに、送信先装置のＩＰアドレスを指定してｐｉｎｇ試験を行うために必要となる試験用情報の入力を促す入力用画面を表示手段に表示する表示処理と、前記入力用画面に入力された試験用情報を受け付ける受付処理と、前記試験用情報を用いてｐｉｎｇ試験を行う実行処理と、を実行させる。
【発明の効果】
【００１２】
本発明によれば、保守員に煩雑な操作を強いることなく、ｐｉｎｇ試験を行うために必要となる試験用情報を保守員から受け付け、その試験用情報を用いてｐｉｎｇ試験を実行することが可能になる。
【図面の簡単な説明】
【００１３】
【図１】本発明の第１実施形態のｐｉｎｇ試験機を示したブロック図である。
【図２】ｐｉｎｇ試験機１の外観を示した外観図である。
【図３】ｐｉｎｇ試験機１の接続の概要を示したブロック図である。
【図４】ｐｉｎｇ試験機１を用いた試験方法を説明するためのフローチャートである。
【図５】メニュー画面の一例を示した図である。
【図６】入力用画面の一例を示した図である。
【図７】ｐｉｎｇ試験の実行結果の表示例を示した図である。
【図８】ｐｉｎｇ試験の実行結果の表示例を示した図である。
【図９】セットアップ画面の一例を示した図である。
【図１０】本発明の第２実施形態のｐｉｎｇ試験機１Ａを示したブロック図である。
【発明を実施するための形態】
【００１４】
以下、本発明の実施形態を図面を参照して説明する。
【００１５】
（第１実施形態）
図１は、本発明の第１実施形態のｐｉｎｇ試験機１を示したブロック図である。図１において、ｐｉｎｇ試験機１は、表示部１１と、キー入力部１２と、実行部１３と、を含む。
【００１６】
実行部１３は、表示制御部１３１と、ＬＡＮ（Local Area Network）制御部１３２と、ＭＡＣ（Media Access Control）アドレス格納部１３３と、ＴＣＰ／ＩＰ（Transmission Control Protocol/Internet Protocol）格納部１３４と、ｐｉｎｇ試験用プログラム格納部１３５と、ＣＰＵ（Central Processing Unit）１３６と、バス１３７と、を含む。なお、ｐｉｎｇ試験機１は、スピーカを備えてもよい。
【００１７】
表示部１１は、一般的に表示手段と呼ぶことができる。表示部１１は、例えば、液晶表示部であり、ｐｉｎｇ試験を行うために必要となる試験用情報の入力を促す入力用画面を表示する。なお、試験用情報は、例えば、ｐｉｎｇ試験機１のＩＰアドレスおよび送信先装置のＩＰアドレスである。
【００１８】
キー入力部１２は、一般的に受付手段と呼ぶことができる。キー入力部１２は、入力用画面に入力された試験用情報を受け付ける。
【００１９】
実行部１３は、一般的に実行手段と呼ぶことができる。実行部１３は、キー入力部１２にて受け付けられた試験用情報を用いてｐｉｎｇ試験を行う。
【００２０】
表示制御部１３１は、表示部１１が表示する画面を制御する。
【００２１】
ＬＡＮ制御部１３２は、ｐｉｎｇパケットの入出力ポート（ＬＡＮケーブル接続ポート）である。以下では、ＬＡＮ制御部１３２は、ＬＡＮケーブル接続ポート１３２とも称される。本実施形態では、ＬＡＮ制御部１３２として、ＲＪ４５コネクタのＵＴＰ（Unshielded Twist Pair）ケーブル（全ピンストレート)を接続するポートが用いられる。
【００２２】
ＭＡＣアドレス格納部１３３は、ｐｉｎｇ試験機１のＭＡＣアドレス、および、送信先装置のＭＡＣアドレスを格納する。なお、送信先装置のＭＡＣアドレスは、例えば、送信先装置のＩＰアドレスとａｒｐ（アープ）コマンドとを用いることによって、ＣＰＵ１３６が取得する。
【００２３】
ＴＣＰ／ＩＰ格納部１３４は、ＴＣＰ／ＩＰを格納する。
【００２４】
ｐｉｎｇ試験用プログラム格納部１３５は、ｐｉｎｇ試験用プログラムを格納する。
【００２５】
なお、ＭＡＣアドレス格納部１３３とＴＣＰ／ＩＰ格納部１３４とｐｉｎｇ試験用プログラム格納部１３５は、コンピュータにて読み取り可能な記録媒体である。
【００２６】
ＣＰＵ１３６は、バス１３７を介して、キー入力部１２、表示制御部１３１、ＬＡＮ制御部１３２、ＭＡＣアドレス格納部１３３、ＴＣＰ／ＩＰ格納部１３４、および、ｐｉｎｇ試験用プログラム格納部１３５と接続されている。
【００２７】
ＣＰＵ１３６は、例えば、ｐｉｎｇ試験用プログラム格納部１３５内のｐｉｎｇ試験用プログラムを読み取り実行して、表示部１１に、ｐｉｎｇ試験を行うために必要となる試験用情報の入力を促す入力用画面を表示する処理と、キー入力部１２で、入力用画面に入力された試験用情報を受け付ける処理と、キー入力部１２にて受け付けられた試験用情報を用いて、ｐｉｎｇ試験を行う処理と、を行う。
【００２８】
本実施形態では、ＣＰＵ１３６は、ＴＣＰ／ＩＰ格納部１３４内のＴＣＰ／ＩＰとｐｉｎｇ試験用プログラム格納部１３５内のｐｉｎｇ試験用プログラムとに従って、キー入力部１２にて受け付けられた試験用情報とＭＡＣアドレス格納部１３３内のＭＡＣアドレスを用いて、ｐｉｎｇ試験を実行する。
【００２９】
図２は、ｐｉｎｇ試験機１の外観を示した外観図である。図２において、図１に示したものと同一構成のものには同一符号を付してある。
【００３０】
図２において、キー入力部１２は、テンキー１２１と、ＭＥキー１２２と、ＳＥキー１２３と、ＳＴキー１２４と、ＳＰキー１２５と、移動キー１２６と、ＥＮＴキー１２７と、ＰＯＷキー１２８と、を含む。
【００３１】
ＭＥキー１２２は、メニュー画面を表示する旨の指示を受け付ける。メニュー画面は、画面のコントラストの調整用画面と、音量の調整用画面と、セルフテストの実施を受け付ける画面と、電池残量を表示する画面と、を含む。
【００３２】
ＳＥキー１２３は、セットアップ画面を表示する旨の指示を受け付ける。セットアップ画面は、自局ＩＰアドレス、相手ＩＰアドレス、サブネットマスク、デフォルトゲートウェイ、および、ＤＮＳ（Domain Name System）サーバのアドレスのそれぞれを表示および変更可能な画面である。
【００３３】
ＳＴキー１２４は、ｐｉｎｇテストを実行する旨の指示を受け付ける。ＳＰキー１２５は、ｐｉｎｇテストを停止する旨の指示を受け付ける。ＥＮＴキー１２７は、入力完了の指示を受け付ける。ＰＯＷキー１２８は、電源キーである。
【００３４】
図２に示したｐｉｎｇ試験機１のサイズは、例えば、縦６０ｍｍ、横２００ｍｍ、厚さ２０ｍｍである。なお、ｐｉｎｇ試験機１のサイズは、上記に限らず適宜変更可能である。
【００３５】
図３は、ｐｉｎｇ試験機１の接続の概要を示したブロック図である。図３において、図１に示したものと同一構成のものには同一符号を付してある。
【００３６】
図３において、ｐｉｎｇ試験機１のＬＡＮケーブル接続ポートに、ＵＴＰケーブル（ＬＡＮケーブル）２の一端が接続される。ＵＴＰケーブル２の他端は、試験対象となるネットワーク端末３のＬＡＮポートに接続される。ネットワーク端末３は、インターネット等のネットワーク４を介して、センター試験ＰＣ５（送信先装置）と接続される。
【００３７】
図４は、ｐｉｎｇ試験機１を用いた試験方法を説明するためのフローチャートである。以下、図４を参照して、ｐｉｎｇ試験機１を用いた試験方法を説明する。
ＰＯＷキー１２８の操作に伴い電源が投入されると、ＣＰＵ１３６は、表示部１１にメニュー画面を表示する（ステップＳ１）。なお、メニュー画面は、ＭＥキー１２２が操作された場合にも表示される。
【００３８】
図５は、メニュー画面の一例を示した図である。メニュー画面では、液晶画面のコントラクションの調整、電子音量の調整、バッテリーの残存容量表示、セルフテスト機能、および、ｐｉｎｇテスト開始（Ping TEST Start ENT key）のメニューが表示される。
【００３９】
メニュー画面からｐｉｎｇテスト開始が選択されるように、保守員が移動キー１２６およびＥＮＴキー１２７を操作すると（ステップＳ２）、ＣＰＵ１３６は、表示部１１の表示画面を、ｐｉｎｇ試験を行うために必要となる試験用情報の入力を促す入力用画面に切り替える。
【００４０】
図６は、入力用画面の一例を示した図である。入力用画面６０は、自局ＩＰアドレス（ｐｉｎｇ試験機１のＩＰアドレス）の入力を促す画面６１と、相手側のＩＰアドレス（センター試験ＰＣ５のＩＰアドレス）の入力を促す画面６２と、ｐｉｎｇ試験回数の入力を促す画面６３と、ｐｉｎｇ試験の実行開始指示の入力を促す画面６４と、を含む。
【００４１】
続いて、ＣＰＵ１３６は、画面６１にカーソルを表示することによって、自局ＩＰアドレスの入力待ち状態を表示する（ステップＳ３）。
【００４２】
自局ＩＰアドレスの入力待ち状態が表示されると、保守員は、画面６１にｐｉｎｇ試験機１のＩＰアドレスが入力されるように、テンキー１２１および移動キー１２６を操作し、その後、ＥＮＴキー１２７を操作する（ステップＳ４）。
【００４３】
なお、ＩＰアドレス入力時の数字の間には、ピリオド「．」を入力されずに、次の数字が入力される。
【００４４】
ｐｉｎｇ試験機１のＩＰアドレスが入力されて、ＥＮＴキー１２７が操作されると、ＣＰＵ１３６は、ｐｉｎｇ試験機１のＩＰアドレスを自局ＩＰアドレスとして保持する。このとき、ＣＰＵ１３６は、ｐｉｎｇ試験機１のＩＰアドレスの数字の間にピリオド「．」を挿入する。
【００４５】
続いて、ＣＰＵ１３６は、画面６２にカーソルを表示することによって、相手先ＩＰアドレスの入力待ち状態を表示する（ステップＳ５）。
【００４６】
相手先ＩＰアドレスの入力待ち状態が表示されると、保守員は、画面６２にセンター試験ＰＣ５のＩＰアドレスが入力されるように、テンキー１２１および移動キー１２６を操作し、その後、ＥＮＴキー１２７を操作する（ステップＳ６）。
【００４７】
センター試験ＰＣ５のＩＰアドレスが入力されて、ＥＮＴキー１２７が操作されると、ＣＰＵ１３６は、センター試験ＰＣ５のＩＰアドレスを、相手先ＩＰアドレスとして保持する。このとき、ＣＰＵ１３６は、センター試験ＰＣ５のＩＰアドレスの数字の間にピリオド「．」を挿入する。
【００４８】
続いて、ＣＰＵ１３６は、画面６３にカーソルを表示することによって、ｐｉｎｇ試験回数の入力待ち状態を表示する（ステップＳ７）。
【００４９】
ｐｉｎｇ試験回数の入力待ち状態が表示されると、保守員は、画面６３にｐｉｎｇ試験回数が入力されるように、テンキー１２１および移動キー１２６を操作し、その後、ＥＮＴキー１２７を操作する（ステップＳ８）。
【００５０】
ｐｉｎｇ試験回数が入力されて、ＥＮＴキー１２７が操作されると、ＣＰＵ１３６は、入力されたｐｉｎｇ試験回数を保持する。続いて、ＣＰＵ１３６は、画面６４にカーソルを表示することによって、ｐｉｎｇ実行開始待ち状態を表示する（ステップＳ９）。
【００５１】
ｐｉｎｇ実行開始待ち状態が表示されると、保守員は、ＳＴキー１２４を操作する。
【００５２】
ｐｉｎｇ実行開始待ち状態が表示されている状況で、ＳＴキー１２４が操作されると、ＣＰＵ１３６は、「ｐｉｎｇ」の後に「−ｎ」と「ｐｉｎｇ試験回数」と「センター試験ＰＣ５のＩＰアドレス」が記載されたｐｉｎｇコマンドを作成する。
【００５３】
ＣＰＵ１３６は、このｐｉｎｇコマンドに従ってｐｉｎｇパケットを生成し、そのｐｉｎｇパケットをイーサネット・フレームに入れて送り出す。なお、ｐｉｎｇコマンドに従ってｐｉｎｇパケットを生成し、ｐｉｎｇパケットをイーサネット・フレームに入れて送り出す処理は、公知技術であるため詳細な説明は省略する。
【００５４】
図７および８は、ｐｉｎｇ試験の実行結果の表示例を示した図である。なお、図７と図８との表示の切り替えは、移動キー１２６の操作に基づいて行われる。
【００５５】
図９は、ＳＥキー１２３の操作に応じて表示されるセットアップ画面の一例を示した図である。保守員は、セットアップ画面を用いて、現在の設定値の詳細を確認できる。
【００５６】
本実施形態によれば、表示部１１は、ｐｉｎｇ試験を行うために必要となる試験用情報の入力を促す入力用画面を表示する。キー入力部１２は、入力用画面に入力された試験用情報を受け付ける。実行部１３は、キー入力部１２にて受け付けられた試験用情報を用いて、ｐｉｎｇ試験を行う。
【００５７】
このため、保守員に、ノートＰＣ上でコマンドプロンプトを開き、コマンドプロンプトにｐｉｎｇコマンドを入力するという煩雑な操作を強いることなく、操作方法が簡潔となり、試験用情報を保守員から受け付け、その試験用情報を用いてｐｉｎｇ試験を実行することが可能になる。
【００５８】
また、ｐｉｎｇ試験機１は、様々な通信試験のうちｐｉｎｇ試験に必要な機能のみを有しているので、低コスト化を実現することが可能になり、小型化および軽量化が可能となり、持ち運び、携帯が容易となる。また、電池を電源として利用できるので、ＡＣ電源を不要にできる。
【００５９】
（第２実施形態）
図１０は、本発明の第２実施形態のｐｉｎｇ試験機１Ａを示したブロック図である。図１０において、図１に示したものと同一構成のものには同一符号を付してある。
【００６０】
第２実施形態のｐｉｎｇ試験機１Ａは、書き込み部１３８が追加された点が、第１実施形態のｐｉｎｇ試験機１と異なる。以下、ｐｉｎｇ試験機１Ａについて、ｐｉｎｇ試験機１と異なる点を中心に説明する。
【００６１】
書き込み部１３８は、一般的に書き込み手段と呼ぶことができる。書き込み部１３８は、例えば、外部記録媒体６、例えば、外付けのＵＳＢ（Universal Serial Bus）メモリーに、実行部１３にて行われたｐｉｎｇ試験の結果を書き込む。
【００６２】
なお、本実施形態では、ＣＰＵ１３６は、ｐｉｎｇ試験用プログラム格納部１３５内のｐｉｎｇ試験用プログラムを読み取り実行して、さらに、書き込み部１３８を用いて、ｐｉｎｇ試験の結果を外部記録媒体６に書き込む処理を行う。
【００６３】
この場合、ｐｉｎｇ試験の結果を、容易に外部記録媒体に書き込むことが可能になる。
【００６４】
以上説明した各実施形態において、図示した構成は単なる一例であって、本発明はその構成に限定されるものではない。
【符号の説明】
【００６５】
１      ｐｉｎｇ試験機
１１    表示部
１２    キー入力部
１３    実行部
１３１  表示制御部
１３２  ＬＡＮ制御部
１３３  ＭＡＣアドレス格納部
１３４  ＴＣＰ／ＩＰ格納部
１３５  ｐｉｎｇ試験用プログラム格納部１３５
１３６  ＣＰＵ
１３７  バス
１３８  書き込み部
２      ＵＴＰケーブル
３      ネットワーク端末
４      ネットワーク
５      センター試験ＰＣ
６      外部記録媒体
【図１】
2010263467.tif 000003
【図２】
2010263467.tif 000004
【図３】
2010263467.tif 000005
【図４】
2010263467.tif 000006
【図５】
2010263467.tif 000007
【図６】
2010263467.tif 000008
【図７】
2010263467.tif 000009
【図８】
2010263467.tif 000010
【図９】
2010263467.tif 000011
【図１０】
2010263467.tif 000012